(57)【要約】  【課題】複数のエリアにそれぞれ再生・検出装置が設けられ、各エリアにおける再生信号の音量を会話の妨げとならないように、制御する。  【解決手段】異なるエリアにそれぞれ設置されている第１および第２の再生・検出装置の検出部から第１および第２の集音信号を受信し、第１および第２の再生・検出装置に対してオーディオコンテンツを送信する。第１および第２の集音信号とオーディオコンテンツとの相関をそれぞれ判定して第１および第２の相関判定信号を取得し、第１および第２の相関判定信号からオーディオコンテンツ以外のオーディオ信号が検出されると判定される場合に、第１および第２の集音信号の相関を判定して第３の相関判定信号を取得し、第１、第２および第３の相関判定信号に応じて、第１および第２の再生・検出装置の再生部に対する音量制御信号を形成する。【選択図】図４
2013229838.tif 000002
【特許請求の範囲】
【請求項１】
異なるエリアにそれぞれ設置されている少なくとも二つの第１および第２の再生・検出装置と通信可能な信号処理装置であって、
前記第１および第２の再生・検出装置のそれぞれが前記エリアの音を検出する検出部と、共通のオーディオコンテンツを再生する再生部とを有しており、
前記第１および第２の再生・検出装置の前記検出部から第１および第２の集音信号を受信し、
前記第１および第２の再生・検出装置に対してオーディオコンテンツを送信し、
前記第１および第２の集音信号と前記オーディオコンテンツとの相関をそれぞれ判定して第１および第２の相関判定信号を取得し、
前記第１および第２の相関判定信号から前記オーディオコンテンツ以外のオーディオ信号の検出の有無を判定し、
前記オーディオコンテンツ以外のオーディオ信号が検出されると判定される場合に、前記第１および第２の集音信号の相関を判定して第３の相関判定信号を取得し、
前記第１、第２および第３の相関判定信号に応じて、前記第１および第２の再生・検出装置の前記再生部に対する音量制御信号を形成する信号処理装置。
【請求項２】
前記オーディオコンテンツ以外のオーディオ信号が会話である請求項１に記載の信号処理装置。
【請求項３】
前記オーディオコンテンツ以外のオーディオ信号が検出されると判定される場合に、前記第３の相関判定信号に応じて、前記再生部に対する音量制御信号を形成する請求項１に記載の信号処理装置。
【請求項４】
前記オーディオコンテンツ以外のオーディオ信号が検出されると判定され、且つ前記第３の相関判定信号が相関が無いことを示す場合には、前記オーディオコンテンツ以外のオーディオ信号が検出されると判定される前記再生部に対する音量制御信号を形成する請求項３に記載の信号処理装置。
【請求項５】
前記オーディオコンテンツ以外のオーディオ信号が検出されると判定され、且つ前記第３の相関判定信号が相関があることを示す場合には、前記オーディオコンテンツ以外のオーディオ信号のレベルが比較され、レベル比較に応じて前記オーディオコンテンツ以外のオーディオ信号が検出されると判定される前記再生部に対する音量制御信号を形成する請求項３に記載の信号処理装置。
【請求項６】
前記第１および第２の再生・検出装置が一体的に照明装置を有する請求項１に記載の信号処理装置。
【請求項７】
第１および第２の再生・検出装置の検出部から第１および第２の集音信号を受信し、
前記第１および第２の再生・検出装置に対してオーディオコンテンツを送信し、
前記第１および第２の集音信号と前記オーディオコンテンツとの相関をそれぞれ判定して第１および第２の相関判定信号を取得し、
前記第１および第２の相関判定信号から前記オーディオコンテンツ以外のオーディオ信号の検出の有無を判定し、
前記オーディオコンテンツ以外のオーディオ信号が検出されると判定される場合に、前記第１および第２の集音信号の相関を判定して第３の相関判定信号を取得し、
前記第１、第２および第３の相関判定信号に応じて、前記第１および第２の再生・検出装置の再生部に対する音量制御信号を形成する信号処理方法。
【発明の詳細な説明】
【技術分野】
【０００１】
本開示は、例えばパーティー会場のような比較的広い空間において、複数のオーディオ再生装置を設置した場合、オーディオ再生装置の再生音が会話の妨げとなることを防止することができる再生装置および再生方法に関する。
【背景技術】
【０００２】
従来、車載オーディオ装置において、再生音楽が乗車している人の会話の妨げとなることを防止することが提案されている（特許文献１参照）。さらに、特許文献２には、スピーカの近傍と、リスニングポジションの近傍にそれぞれマイクロホンを設置し、それぞれの音声認識結果が一致しない場合に、音量を所定量増加させることが記載されている。
【先行技術文献】
【特許文献】
【０００３】
【特許文献１】特開２０１１−０１５０１８号公報
【特許文献２】特開２００７−２１９１２２号公報
【発明の概要】
【発明が解決しようとする課題】
【０００４】
特許文献１に記載のものは、自動車内のような狭い空間内に設置されているオーディオ再生装置に適用可能である。しかしながら、パーティー会場のような複数のオーディオ再生装置が設置されているより広い空間では、一部の人の会話によって、全てのオーディオ再生音量が低下されてしまう問題が生じる。特許文献２に記載のものは、マイクロホンがリスニングポジションの近傍に設置されていることが必要である。かかる制約は、パーティー会場における音量制御の妨げとなる。
【０００５】
したがって、本開示は、複数のオーディオ再生装置が設置される空間内で、再生音楽等が会話の妨げとなることを防止することができる信号処理装置および信号処理方法の提供を目的とする。
【課題を解決するための手段】
【０００６】
上述の課題を解決するために、本開示は、異なるエリアにそれぞれ設置されている少なくとも二つの第１および第２の再生・検出装置と通信可能な信号処理装置であって、
第１および第２の再生・検出装置のそれぞれがエリアの音を検出する検出部と、共通のオーディオコンテンツを再生する再生部とを有しており、
第１および第２の再生・検出装置の検出部から第１および第２の集音信号を受信し、
第１および第２の再生・検出装置に対してオーディオコンテンツを送信し、
第１および第２の集音信号とオーディオコンテンツとの相関をそれぞれ判定して第１および第２の相関判定信号を取得し、
第１および第２の相関判定信号からオーディオコンテンツ以外のオーディオ信号の検出の有無を判定し、
オーディオコンテンツ以外のオーディオ信号が検出されると判定される場合に、第１および第２の集音信号の相関を判定して第３の相関判定信号を取得し、
第１、第２および第３の相関判定信号に応じて、第１および第２の再生・検出装置の再生部に対する音量制御信号を形成する信号処理装置である。
本開示は、第１および第２の再生・検出装置の検出部から第１および第２の集音信号を受信し、
第１および第２の再生・検出装置に対してオーディオコンテンツを送信し、
第１および第２の集音信号とオーディオコンテンツとの相関をそれぞれ判定して第１および第２の相関判定信号を取得し、
第１および第２の相関判定信号からオーディオコンテンツ以外のオーディオ信号の検出の有無を判定し、
オーディオコンテンツ以外のオーディオ信号が検出されると判定される場合に、第１および第２の集音信号の相関を判定して第３の相関判定信号を取得し、
第１、第２および第３の相関判定信号に応じて、第１および第２の再生・検出装置の再生部に対する音量制御信号を形成する信号処理方法である。
【発明の効果】
【０００７】
複数のオーディオ再生装置によって、バックグラウンドミュージックのような同一のオーディオソースを再生している場合に、会話の妨げとなることを防止するように、再生音量を自動的に下げることができる。他の会話がされていないエリアでは、音量が下げられない。さらに、会話の信号レベルに応じて適切に音量が制限される。
【図面の簡単な説明】
【０００８】
【図１】本開示による再生装置のシステムの概略を示す略線図である。
【図２】本開示の一実施の形態における親機のブロック図である。
【図３】本開示の一実施の形態における子機のブロック図である。
【図４】本開示の一実施の形態における親機の処理の流れを示すフローチャートである。
【図５】本開示の一実施の形態における子機の処理の流れを示すフローチャートである。
【図６】本開示の一実施の形態の制御動作の説明に使用する表である。
【図７】子機の具体的構成の一例を示す略線図である。
【図８】子機の具体的構成の他の例を示す略線図である。
【発明を実施するための形態】
【０００９】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
本開示の説明は、以下の順序にしたがってなされる。
＜１．実施の形態＞
＜２．変形例＞
【００１０】
＜１．実施の形態＞
「システム構成」
本開示の再生装置は、概略的には、図１に示すような構成を有する。再生装置が設置される再生空間１が複数のエリア２ａ、２ｂ、２ｃに分かれている。再生空間１の例は、ホール、パーティションで区切られた複数の部屋、仕切りがなく複数の部屋が繋がっている空間等である。図１では、エリア間の境界を２点鎖線で示しているが、２点鎖線は、実際の仕切りまたは仮想的な仕切りを表している。さらに、再生空間１内には、複数の人Ｐ１，Ｐ２，Ｐ３，Ｐ４，Ｐ５が談笑したり、再生音楽を聞いたりしている。
【００１１】
各エリア例えば部屋の天井に再生装置の子機３ａ、３ｂ、３ｃ（これらの子機を区別する必要がない場合には、単に子機３と称する）が設置されている。子機３に対して通信路５を介して親機４が接続されている。親機４の入力端子４ａに対してオーディオソースからオーディオコンテンツ（以下、再生信号と適宜称する）が供給される。例えばバックグラウンドミュージック信号が供給される。
【００１２】
通信路５としては、有線ネットワーク、無線ネットワーク等を使用できる。さらに、通信路５が下り方向通信（親機４から子機３への通信）用通信路と、上り方向通信（子機３から親機４への通信）用通信路とを含んでいる。さらに、通信路５は、再生信号（アナログオーディオ信号またはデジタルオーディオ信号）の伝送路と、コントロール信号（音量制御信号および照明制御信号）の伝送路とを含んでいる。これらの伝送すべき信号の種類に応じて複数の通信路を使用するようにしても良い。さらに、通信路５を無線通信路として構成する場合、親機４を固定ではなく、モバイルデバイスの構成とすることができる。この場合、スマートホン、タブレットコンピュータ等の既存のモバイルデバイスを使用するようにしても良い。
【００１３】
通信路５として無線通信路を使用する場合、ワイヤレスＬＡＮ(Local Area Network)、Ｂｌｕｅｔｏｏｔｈ（登録商標）、ＺｉｇＢｅｅ等の無線通信規格によるネットワークを利用することができる。Ｂｌｕｅｔｏｏｔｈ（登録商標）は、マルチメディア通信に適用され、一対多接続の通信を行うことができる。ＺｉｇＢｅｅは、ＩＥＥＥ(Institute of
Electrical and Electronics Engineers) ８０２．１５．４の物理層を使用するものである。ＩＥＥＥ８０２．１５．４は、ＰＡＮ(Personal Area Network) またはＷ(Wireless)ＰＡＮと呼ばれる短距離無線ネットワーク規格の名称である。
【００１４】
さらに、有線通信方式を使用する場合には、電力線を通信回線として使用する電力線搬送通信(Power Line Communication)を使用できる。さらに、ＡＶ（オーディオ・ビジュアル）機器の接続の方式として、ＤＬＮＡ(Digital Living Network Alliance)を使用して
も良い。ＤＬＮＡは、ホームネットワークによってデジタルＡＶ機器同士やパーソナルコンピュータを相互に接続し、動画、音楽、静止画像などのデータを相互利用する仕様を策定するために設立された業界団体である。
【００１５】
子機３は、スピーカ６と、マイクロホン７と、照明装置８と、子機３に関する信号処理部９とをそれぞれ有する。スピーカ６は、再生信号を再生するための再生部である。マイクロホン７は、周囲の音例えば子機３の設置されているエリアの音を主として検出する検出部である。照明装置８は、各エリアに対する照明である。
【００１６】
各子機のスピーカ６は、親機からの共通の再生信号例えばバックグラウンドミュージックを再生する。信号処理部９において、再生音量を親機４からの音量制御信号に応じて制御することが可能とされている。マイクロホン７により得られる集音信号が信号処理部９に供給され、親機５に対して伝送される。さらに、親機５からの照明制御信号が信号処理部９に供給され、照明装置８の明るさが親機５によって制御可能とされている。
【００１７】
「親機４の一例」
図２を参照して親機４の一例について説明する。オーディオソース入力端子４ａからの再生信号（アナログオーディオ信号またはデジタルオーディオ信号）が信号入力部４１に対して入力される。信号入力部４１は、オーディオソースとのインターフェースの機能を有する。例えばアナログオーディオ信号の場合の入力端子、デジタルオーディオ信号の場合のＢｌｕｅｔｏｏｔｈ（登録商標）のレシーバ、ＤＬＮＡ機器等である。
【００１８】
信号入力部４１から出力される再生信号（デジタルオーディオ信号）がＤＳＰ(Digital Signal Processor)４２に対して供給される。ＤＳＰ４２は、再生信号に対しての信号処理を行う。例えば再生信号と子機３からの集音信号との相関がＤＳＰ４２によって検出される。さらに、集音信号同士の相関がＤＳＰ４２によって検出される。ＤＳＰ４２から出力される再生信号が送信機４３に供給される。
【００１９】
送信機４３は、通信路５を介して子機のＩＤ、コントロール信号および再生信号を送信する。さらに、再生信号のオン／オフの切り替えを制御するコントロール信号、手動音量調整のコントロール信号、照明装置８のオン／オフの切り替えを制御するコントロール信号、照明装置８の手動調整のコントロール信号も送信機４３から各子機に対して送信される。送信機４３の構成は、通信路５と対応するものとされる。
【００２０】
送信機４３によって送信される再生信号は、各子機に関して共通の信号であり、音量調整、照明制御等のコントロール信号は、子機のＩＤが付加され、子機毎の信号である。すなわち、子機３のそれぞれにＩＤが付加されているので、ＩＤによって所望の子機３に対してのみ該子機に対応するコントロール信号による制御を行うことができる。すなわち、コントロール信号を送信する場合には、ＩＤが宛先アドレスとなる。
【００２１】
通信路５を介して伝送される子機３からの集音信号を受信する受信機４４が設けられている。受信機４４の構成は、通信路５と対応するものとされる。受信機４４によって、子機３からＩＤ（送出元アドレス）および集音信号（例えばデジタル信号）が受信される。ＩＤが受信機４４からマイクロコントローラ４５に供給される。集音信号がＤＳＰ４２に供給される。マイクロコントローラ４５は、ＣＰＵ（Central Processing Unit ）、ＲＡＭ（Random Access Memory）、ＲＯＭ（Read Only Memory）等で構成されるものである。
【００２２】
マイクロコントローラ４５と関連して操作部４６が設けられている。操作部４６は、オーディオ再生のオン／オフ、音量の手動調整、照明装置８のオン／オフ、照明装置８の明るさの手動調整等の各種の調整のために設けられている。操作部４６によってなされる音量調整は、集音信号に応じてなされる自動音量調整とは別のものである。操作部４６によるオン／オフの切り替えおよび調整操作と対応してコントロール信号がマイクロコントローラ４５によって生成される。操作部４６によるオン／オフの切り替えおよび調整は、複数の子機３のそれぞれに対して分離して行われるものである。
【００２３】
マイクロコントローラ４５およびＤＳＰ４２によって、子機３毎に、集音信号中の会話の成分の検出と、抽出された会話信号のレベルの検出とがなされる。検出された会話の成分の信号がマイクロコントローラ４５に供給される。
【００２４】
マイクロコントローラ４５は、検出される会話の成分に対応してそのエリアの再生信号のレベルを調整するための音量制御信号を生成する。さらに、後述するように、会話の声が大きかったり、会話の場所がエリア間の境界に近い場合には、複数のエリアにおいて、会話の成分が検出されることもある。その場合には、複数のエリアにおける再生信号の音量を制御するための音量制御信号が生成される。
【００２５】
「子機３の一例」
図３を参照して子機３の一例について説明する。受信機３１が通信路５を介して親機４からの信号を受信する。受信機３１の構成は、通信路５と対応するものとされる。受信する信号は、再生信号（デジタル（またはアナログ）オーディオ信号）およびＩＤを有するコントロール信号である。受信機３１は、再生信号と自身のＩＤのコントロール信号とを受信する。受信した再生信号がアンプ３２に供給され、アンプ３２からスピーカ６に再生信号が供給される。
【００２６】
受信機３１において分離されたコントロール信号がマイクロコントローラ３３に供給される。マイクロコントローラ３３は、親機４のマイクロコントローラ４５と同様に、ＣＰＵ、ＲＡＭ、ＲＯＭ等で構成されるものである。コントロール信号に含まれる音量制御信号がアンプ３２に対して供給される。アンプ３２のゲインを音量制御信号に応じて可変することによって音量が調整される。さらに、音量を低下させた場合に、その低域成分および高域成分を強調する周波数補正を行うようにしても良い。コントロール信号に含まれる照明装置の制御に関する照明制御信号が照明装置８に供給される。照明制御信号に応じて照明装置８のオン／オフが切り替えられ、その明るさが可変される。
【００２７】
子機３において、マイクロホン７の集音信号が送信機３４に供給され、通信路５を介して親機４に集音信号が送信される。受信機３４の構成は、通信路５と対応するものとされる。集音信号は、子機３のＩＤが付加されて親機４へ送信される。
【００２８】
「親機における処理」
マイクロコントローラ４５の制御のもとでなされる親機４の処理について図４のフローチャートを参照して説明する。
ステップＳ１：信号入力部４１を介して供給される再生信号をＤＳＰ４２においてバッファリングする。
ステップＳ２：子機３から集音信号を受信機４４が受信する。集音信号がＤＳＰ４２に供給される。
【００２９】
ステップＳ３：ＤＳＰ４２におけるデジタル信号処理によって集音信号とバッファリングした再生信号との相関がとられる。相関検出の方法としては、既知の方法を使用できる。例えば集音信号と再生信号との一方をずらして乗算を行い、総和をとることで相互相関が求められる。さらに、集音信号から再生信号の成分をキャンセルした結果の信号を利用して、相関検出を行うようにしても良い。
【００３０】
ステップＳ４：ステップＳ３の相関検出の結果によって、集音信号と再生信号との相関が低いか否かが判定される。相関が高いと判定される場合には、会話等の再生信号以外の環境音が集音信号に含まれていないと判定されるので、処理がステップＳ１に戻る。
ステップＳ５：ステップＳ４において、相関が低いと判定されると、会話か否かが判断される。集音信号には、再生信号および会話以外の環境音の信号が含まれている。したがって、集音信号の周波数帯域等を調べて集音信号が会話の成分か否かが判定される。会話でないと判定される場合には、処理がステップＳ１に戻る。
【００３１】
ステップＳ１〜ステップＳ５の処理は、エリア２ａ、２ｂ、２ｃのそれぞれの子機３ａ、３ｂ、３ｃからの集音信号に関して並列的になされる。集音信号のデジタル化のサンプリング周波数は、比較的低いので、ＤＳＰ４２が並列的にこれらの処理を行うことができる。
【００３２】
ステップＳ６：ステップＳ５において、会話と判断されると、他の子機の会話の信号との相関が低いか否かが判定される。相関検出は、ステップＳ４の相関検出と同様になされる。
ステップＳ７：ステップＳ６において、他の子機の会話の信号との相関が低いと判定されると、該当子機へ音量制御信号を送信する。すなわち、図１に示すように、エリア２ｃの子機３の集音信号から会話の信号が検出され、他のエリアの会話の信号との相関が低い場合には、エリア２ｃにおける再生信号の音量が制御される。音量制御信号は、再生信号が該当子機の設置されているエリアにおける会話の妨げとなることを防止するために、該当子機の再生信号の音量を低下させるように制御する。
【００３３】
ステップＳ８：ステップＳ６において、他の子機の集音信号との相関が高いと判定されると、相関が高いと判定される集音信号同士のレベルを比較し、比較結果に応じた制御がなされる。例えば図１に示すように、エリア２ｃの会話が隣のエリア２ｂの子機３ｂのマイクロホン７によって集音される場合もある。この場合には、子機３ｂおよび３ｃからの会話の信号の相関が高いと判定される。会話がされているエリア２ｃの子機３ｃからの会話の信号レベルがエリア２ｂの子機３ｂからの会話の信号レベルに比して大きくなる。この場合には、エリア２ｂおよびエリア２ｃのそれぞれの再生信号の音量を共に減少させ、且つエリア２ｃの再生信号の音量の方をより減少させる音量制御信号が生成される。
【００３４】
「子機の処理」
子機３のマイクロコントローラ３３の制御のもとでなされる処理について図５のフローチャートを参照して説明する。図５Ａは、送信時の処理の流れを示し、図５Ｂは、受信時の処理の流れを示す。
【００３５】
送信時の処理について説明する。
ステップＳ１１：マイクロホン７によってエリア内の信号が集音される。
ステップＳ１２：集音信号に子機３のＩＤを付加する。
ステップＳ１３：集音信号とＩＤを送信機３４によって親機４に対して送信する。
【００３６】
受信時の処理について説明する。
ステップＳ２１：受信機３１によって親機４から音量制御信号を受信する。
ステップＳ２２：受信した音量制御信号に応じてマイクロコントローラ３３がアンプ３２のゲインを減少する。
【００３７】
図６を参照して音量制御についてより詳細に説明する。説明の簡単のために、エリア（子機）が２個（エリア２ａおよび２ｂ、子機３ａおよび３ｂと称する）の例について説明する。図５におけるＣ１、Ｃ２、Ｃ３、Ｓ１、Ｓ２の意味は、下記の通りである。
Ｃ１：子機３ａによって検出される集音信号が会話の信号であるか否かを示す検出信号である。会話でない場合をＬと表し、会話である場合をＨと表す。
Ｃ２：子機３ｂによって検出される集音信号が会話の信号であるか否かを示す検出信号である。会話でない場合をＬと表し、会話である場合をＨと表す。
Ｃ３：子機３ａによって検出される会話の信号と子機３ｂによって検出される会話の信号との相関の有無を示す検出信号である。相関がない場合をＬと表し、相関がある場合をＨと表す。
【００３８】
Ｓ１：親機４から子機３ａに送信する音量制御信号である。音量制御信号がＬの場合には、音量を制御しないことを表し、音量制御信号がＨの場合には、音量を制御（音量を減少）することを表す。
Ｓ２：親機４から子機３ｂに送信する音量制御信号である。音量制御信号がＬの場合には、音量を制御しないことを表し、音量制御信号がＨの場合には、音量を制御（音量を減少）することを表す。
【００３９】
図６に示すように、ケース１からケース５までの５通りのケースについて説明する。
ケース１：二つの集音信号が共にＬで（会話でない）、且つ会話の信号同士の相関Ｃ３がＬで（相関が無い）場合である。この場合は、音量制御信号Ｓ１およびＳ２が共にＬとされ、音量が減少されない。
【００４０】
ケース２：エリア２ａの集音信号が会話であり（Ｃ１＝Ｈ）、エリア２ｂの集音信号が会話でない（Ｃ２＝Ｌ）であり、相関無い（Ｃ３＝Ｌ）の場合である。この場合は、音量制御信号が（Ｓ１＝Ｈ、Ｓ２＝Ｌ）とされる。すなわち、エリア２ａの再生信号の音量のみが減少される。
【００４１】
ケース３：エリア２ａの集音信号が会話でない（Ｃ１＝Ｌ）であり、エリア２ｂの集音信号が会話であり（Ｃ２＝Ｈ）、相関無い（Ｃ３＝Ｌ）の場合である。この場合は、音量制御信号が（Ｓ１＝Ｌ、Ｓ２＝Ｈ）とされる。すなわち、エリア２ｂの再生信号の音量のみが減少される。
【００４２】
ケース４：エリア２ａの集音信号が会話であり（Ｃ１＝Ｈ）であり、エリア２ｂの集音信号が会話であり（Ｃ２＝Ｈ）、相関無い（Ｃ３＝Ｌ）の場合である。この場合は、音量制御信号が（Ｓ１＝Ｈ、Ｓ２＝Ｈ）とされる。すなわち、エリア２ａおよびエリア２ｂのそれぞれの再生信号の音量が減少される。
【００４３】
ケース５：エリア２ａの集音信号が会話であり（Ｃ１＝Ｈ）であり、エリア２ｂの集音信号が会話であり（Ｃ２＝Ｈ）、相関ある（Ｃ３＝Ｈ）の場合である。この場合は、音量制御信号が（Ｓ１＝Ｈ、Ｓ２＝Ｈ）とされる。すなわち、エリア２ａおよびエリア２ｂのそれぞれの再生信号の音量が減少される。ケース４と相違する点は、二つのエリアの会話の間に相関があることである。この場合には、二つの会話のレベルが比較される。会話のレベルが大きい方のエリアの音量がより多く減少される。
【００４４】
このように、二つのエリアで会話が共に検出され、且つ両方の会話が似ている場合には、各エリアの再生信号の音量の減少量が異なる。すなわち、より会話のレベルが大きい方のエリアの再生信号がより多く減少される。したがって、再生信号の音量が必要以上に減少されることを防止できる。
【００４５】
「子機の具体構成例」
子機３の構成の具体例を図７に示す。天井５０から室内に向かって、スピーカ６、電球形の照明装置８およびマイクロホン７が立設される。スピーカ６および照明装置８が一体的に構成される。スピーカ６および照明装置８の近傍に、マイクロホン７が設けられる。スピーカ６および照明装置８は、光透過性の筺体５１内に収納されている。信号処理部９は，筐体５１内または筐体５１の上部の天井５０内部に設けられる。マイクロホン７は、無指向性のものが使用される。
【００４６】
図８は、子機３の構成の他の例を示す。子機３は、筐体５２を有し、天井に取り付けられる。筐体５２の内部に、照明装置８および信号処理部９が設けられている。照明装置８の中央付近にマイクロホン７が設けられている。筺体５２の各側面には、例えば２個のスピーカ６が設置される。スピーカ６の設置位置や個数は、適宜、変更できる。マイクロホン７は、無指向性のものが使用される。なお、図７および図８に示す構成以外の構成を子機３が有するようにしても良い。
【００４７】
＜２．変形例＞
以上、本開示の実施の形態について具体的に説明したが、上述の各実施の形態に限定されるものではなく、本開示の技術的思想に基づく各種の変形が可能である。例えば親機において、各子機に対する再生信号のレベルを制御し、制御された再生信号を対応する子機に送信するようにしても良い。さらに、再生信号の音量を制御する場合に、再生信号の周波数特性を制御するようにしても良い。すなわち、再生信号中の会話の周波数帯域のゲインを減少させるようにしても良い。さらに、レベル制御と周波数制御とを併用しても良い。さらに、親機および子機の関係は、必ずしも必要ではない。すなわち、複数の子機の一つが親機の機能を持つようにしても良い。
【００４８】
本開示は、装置のほか、方法、プログラム、プログラムが記録された記録媒体などによって実現することができる。なお、実施形態および変形例における構成および処理は、技術的矛盾が生じない範囲で適宜、変更し、また、組み合わせることができる。
【００４９】
さらに、本開示は、例示した処理が複数の装置によって分散して処理される、いわゆるクラウドシステムに対して適用することができる。例えば、例示した処理を全て実行するシステムであって、一部の処理を実行する装置として本開示が実現されてもよい。
【００５０】
なお、本開示は、以下のような構成も取ることができる。
（１）
異なるエリアにそれぞれ設置されている少なくとも二つの第１および第２の再生・検出装置と通信可能な信号処理装置であって、
前記第１および第２の再生・検出装置のそれぞれが前記エリアの音を検出する検出部と、共通のオーディオコンテンツを再生する再生部とを有しており、
前記第１および第２の再生・検出装置の前記検出部から第１および第２の集音信号を受信し、
前記第１および第２の再生・検出装置に対してオーディオコンテンツを送信し、
前記第１および第２の集音信号と前記オーディオコンテンツとの相関をそれぞれ判定して第１および第２の相関判定信号を取得し、
前記第１および第２の相関判定信号から前記オーディオコンテンツ以外のオーディオ信号の検出の有無を判定し、
前記オーディオコンテンツ以外のオーディオ信号が検出されると判定される場合に、前記第１および第２の集音信号の相関を判定して第３の相関判定信号を取得し、
前記第１、第２および第３の相関判定信号に応じて、前記第１および第２の再生・検出装置の前記再生部に対する音量制御信号を形成する信号処理装置。
（２）
前記オーディオコンテンツ以外のオーディオ信号が会話である（１）に記載の信号処理装置。
（３）
前記オーディオコンテンツ以外のオーディオ信号が検出されると判定される場合に、前記第３の相関判定信号に応じて、前記再生部に対する音量制御信号を形成する（１）（２）の何れかに記載の信号処理装置。
（４）
前記オーディオコンテンツ以外のオーディオ信号が検出されると判定され、且つ前記第３の相関判定信号が相関が無いことを示す場合には、前記オーディオコンテンツ以外のオーディオ信号が検出されると判定される前記再生部に対する音量制御信号を形成する（１）（２）（３）の何れかに記載の信号処理装置。
（５）
前記オーディオコンテンツ以外のオーディオ信号が検出されると判定され、且つ前記第３の相関判定信号が相関があることを示す場合には、前記オーディオコンテンツ以外のオーディオ信号のレベルが比較され、レベル比較に応じて前記オーディオコンテンツ以外のオーディオ信号が検出されると判定される前記再生部に対する音量制御信号を形成する（１）（２）（３）の何れかに記載の信号処理装置。
（６）
前記第１および第２の再生・検出装置が一体的に照明装置を有する（１）（２）（３）（４）（５）の何れかに記載の信号処理装置。
（７）
第１および第２の再生・検出装置の検出部から第１および第２の集音信号を受信し、
前記第１および第２の再生・検出装置に対してオーディオコンテンツを送信し、
前記第１および第２の集音信号と前記オーディオコンテンツとの相関をそれぞれ判定して第１および第２の相関判定信号を取得し、
前記第１および第２の相関判定信号から前記オーディオコンテンツ以外のオーディオ信号の検出の有無を判定し、
前記オーディオコンテンツ以外のオーディオ信号が検出されると判定される場合に、前記第１および第２の集音信号の相関を判定して第３の相関判定信号を取得し、
前記第１、第２および第３の相関判定信号に応じて、前記第１および第２の再生・検出装置の再生部に対する音量制御信号を形成する信号処理方法。
【符号の説明】
【００５１】
１・・・再生空間
２ａ〜２ｃ・・・エリア
３、３ａ〜３ｃ・・・子機
４・・・親機
５・・・通信路
６・・・スピーカ
７・・・マイクロホン
８・・・照明装置
９・・・信号処理部
３１・・・受信機
３３・・・マイクロコントローラ
４２・・・ＤＳＰ
４５・・・マイクロコントローラ
【図１】
2013229838.tif 000003
【図２】
2013229838.tif 000004
【図３】
2013229838.tif 000005
【図４】
2013229838.tif 000006
【図５】
2013229838.tif 000007
【図６】
2013229838.tif 000008
【図７】
2013229838.tif 000009
【図８】
2013229838.tif 000010